(57)【要約】      （修正有）【課題】バンドの結束及びその解除が容易に行え、且つ繰り返し使用できる結束バンドを提供する。【解決手段】一方の面に長手方向に沿って、等間隔に複数設けられた凹状の係止部１６を備え、その一端は部分的に棒状部１８を成し、さらにその一端に連結片が設けられたバンド本体２と、連結片と連結可能な連結部を有したバンド保持部３とから成り、連結して一体となる結束バンド１であって、バンド保持部３には、バンド本体２を挿通可能な挿通溝４を有し、挿通溝４内には、バンド本体２の係止部１６を係止する上下に可動可能な係止爪６を有し、バンド保持部３側面片側何れかに挿通溝４へ繋がるバンド挿入及び引き出しが可能な開口部が設けられており、結束する際、バンド保持部３の挿通溝４にバンド本体２を挿通して結束ができ、且つ開口部からバンド本体２を引き出すことで、結束された状態のバンド本体２を解除でき、又挿入もでき、繰り返し使用できる。【選択図】図１
2015003763.tif 000002
【特許請求の範囲】
【請求項１】
帯状をなし一方の面に長手方向に沿って、等間隔に複数設けられた凹状の係止部を備え、その帯状の一端は部分的に棒状を成し、さらにその一端に連結片が設けられたバンド本体と、前記バンド本体の連結片と連結可能な連結部を有したバンド保持部とから成り、連結して一体となる結束バンドであって、環状に結束した際、前記バンド保持部には、前記バンド本体を挿通可能な挿通溝を有し、前記挿通溝内には、前記バンド本体の係止部を係止する上下に可動可能な係止爪を有し、前記バンド保持部側面片側何れかに前記挿通溝へ繋がるバンド挿入及び引き出しが可能な開口部が設けられており、前記バンド本体を前記バンド保持部に結束する際、前記バンド保持部の挿通溝に前記バンド本体を挿通し、適宣の位置で環状に結束ができ、且つ前記開口部から前記バンド本体を引き出すことで、結束された状態の前記バンド本体を容易に解除でき、又挿入も容易にでき、繰り返し使用できることを可能とし、且つ前記バンド本体を保持する保持体とを備えたことを特徴とする結束バンド。
【請求項２】
前記バンド保持部は上下二段、三層構造に形成されており、上段部は二層構造で上部層と中央層から成り、下段部と固定可能な固定片を複数有し、前記バンド本体を挿通及び結束を可能とする挿通溝と上下に可動を可能とした係止爪と前記バンド本体の挿入及び引き出しが可能な開口部を有し、下段部は一層構造で器状の下部層から成り、上段部の固定片を固定する固定部を複数有し、前記バンド本体を連結できる連結部と連結された前記バンド本体の可動が可能な可動域部を有しており、前記バンド本体を下段部の連結部に連結し、前記バンド保持部の上段部と下段部を固定することで前記バンド本体に前後に自在な可動域を持たせることを可能とした、前記バンド本体の交換も自在で、利便性を高めたことを可能としたことを特徴とする請求項１に記載の結束バンド。
【請求項３】
前記保持体は、上下二層構造に形成されており、上部の片側に開口部を設けた保持溝を有し、下部には前記バンド本体を挿通可能な筒状の挿通孔が設けられており、前記結束バンドに前記保持体を装着し、環状にして結束された際、一環状状態を容易に分割及びその解除が可能であり、結束バンド一本でも結束した複数のケーブル等を分割したり、一括化することを容易に行え、又、環状に結束され引き出された前記バンド本体先端残余部分を環状状態の前記バンド本体部分に沿う状態で保持できることも可能にしたことを特徴とする請求項１又は請求項２に記載の結束バンド。
【請求項４】
前記バンド本体の両側面には等間隔に複数の凹状のカット部が設けられており、このカット部の位置で切り取ることを可能としたことを特徴とする請求項１から請求項３のいずれかに記載の結束バンド。
【請求項５】
前記バンド本体の一端の両側面には前記バンド本体の幅より広めのバネ効果のあるバネ部が設けられていることを特徴とする請求項１から請求項４のいずれかに記載の結束バンド。
【発明の詳細な説明】
【技術分野】
【０００１】  本発明は、例えば結束及びその解除を容易に行え、且つ繰り返し使用できる結束バンドに関する。
【背景技術】
【０００２】  従来、用いられる結束バンドの一例として特許文献１に記載されたものが知られている。一般的に結束バンドは、結束保持するために、帯状をなし、一方の面に長手方向に沿って直角に複数の鋸歯状の係止部を持つバンド部と、バンド部の一端に一体的に形成されたバンド保持部から成り、バンド保持部はバンド部を挿通可能なバンド挿通孔とバンド挿通孔内にバンドを係止する係止爪が形成されており、環状にして一定方向よりバンド部を挿通孔に挿通することでバンド部の係止歯がバンド挿通孔内の係止爪に係止されることで結束される。【０００３】  従来、結束バンドのバンド保持部のバンド挿通孔は、バンド部が外れないようにするために筒穴状に形成されているのが一般的である。【０００４】
【特許文献１】  特開２０１１−９４７７１号公報
【発明の開示】
【発明が解決しようとする課題】
【０００５】  しかしながら、このような筒穴状の構造の結束バンドでは、一旦バンドを挿通し、結束すると、締め増しすることはできても緩めることはできないため、結束時の微調整ができない、又、一旦結束したバンドは外すことができず、結束を解除する場合、ハサミ等で切って結束を解除しなければならず、利便性が悪い。【０００６】  又、従来の結束バンドのバンド保持部は、バンドに一体成形されているものが殆どで、且つバンドに対して直角にバンド挿通孔が設けられていることから、バンドをバンド挿通孔へ挿通し、バンド挿通孔より引き出されたバンド残余部分が、環状に結束されたバンドに沿わず、跳ねた状態になり、跳ねた先端部で指先を傷つけたり、狭いスペースなどでは他の物に接触しないように残余部分をハサミ等で切ったりするなど煩わしさもあり、又、その切り取った後の残余部分の切り口の角で指など傷つける恐れもある。一方、バンド挿通孔の係止爪を可動できるように係止爪部に舌片状などの可動片を設け、その可動片を可動させることで係止爪とバンドの係止部との係止状態を外し、結束を解除でき、何度でも使用できる結束バンドもある。【０００７】  しかしながら、前記のような結束バンドの可動片は挿通孔下側から係止爪に舌片のようにして設けられているのが殆どであり、環状にしてバンドを結束した際、挿通孔から引き出されたバンド残余部分の内側（下側）に位置するため、結束を解除する場合、外し辛く、又、可動片は小さく、指先などで操作しなければならず、指先を傷つけたりする恐れがあった。【０００８】  本発明は、上記のような事情に基づいて成されたものであり、バンドの結束及びその解除が容易に行え、且つ繰り返し使用できる結束バンドの提供を目的とする。
【課題を解決するための手段】
【０００９】  上記課題を解決するため、本発明の結束バンドによれば、帯状をなし一方の面に長手方向に沿って、等間隔に複数設けられた凹状の係止部を備え、その帯状の一端は部分的に棒状を成し、さらにその一端に連結片が設けられたバンド本体と、前記バンド本体の連結片と連結可能な連結部を有したバンド保持部とから成り、連結して一体となる結束バンドであって、環状に結束した際、前記バンド保持部には、前記バンド本体を挿通可能な挿通溝を有し、前記挿通溝内には、前記バンド本体の係止部を係止する上下に可動可能な係止爪を有し、前記バンド保持部側面片側何れかに前記挿通溝へ繋がるバンド引き出しが可能な開口部が設けられており、前記バンド本体を前記バンド保持部に結束する際、前記バンド保持部の挿通溝に前記バンド本体を挿通し、適宣の位置で環状に結束ができ、且つ前記開口部から前記バンド本体を引き出すことで、結束された状態の前記バンド本体を容易に解除でき、又挿入も容易にでき、繰り返し使用できることを可能とし、且つ前記バンド本体を保持する保持体とを備えたことを特徴とする。【００１０】  前記バンド保持部は上下二段、三層構造に形成されており、上段部は二層構造で上部層と中央層から成り、下段部と固定可能な固定片を複数有し、前記バンド本体を挿通及び結束を可能とする挿通溝と上下に可動を可能とした係止爪と前記バンド本体の挿入及び引き出しが可能な開口部を有し、下段部は一層構造で器状の下部層から成り、上段部の固定片を固定する固定部を複数有し、前記バンド本体を連結できる連結部と連結された前記バンド本体の可動が可能な可動域部を有しており、前記バンド本体を下段部の連結部に連結し、前記バンド保持部の上段部と下段部を固定することで前記バンド本体に前後に自在な可動域を持たせることを可能とした、前記バンド本体の交換も自在で、利便性を高めたことを可能としたことを特徴とする。【００１１】  前記保持体は、上下二層構造に形成されており、上部の片側に開口部を設けた保持溝を有し、下部には前記バンド本体を挿通可能な筒状の挿通孔が設けられており、前記結束バンドに前記保持体を装着し、環状にして結束された際、一環状状態を容易に分割及びその解除が可能であり、結束バンド一本でも結束した複数のケーブル等を分割したり、一括化することを容易に行え、又、環状に結束され引き出された前記バンド本体先端残余部分を環状状態の前記バンド本体部分に沿う状態で保持できることも可能にしたことを特徴とする。【００１２】  前記バンド本体の両側面には等間隔に複数の凹状のカット部が設けられており、このカット部の位置で切り取ることを可能としたことを特徴とする。【００１３】  前記バンド本体の一端の両側面には前記バンド本体の幅より広めのバネ効果のあるバネ部が設けられていることを特徴とする。
【発明の効果】
【００１４】  本発明における結束バンドによれば、バンドの結束及びその解除が容易に行え、且つ繰り返し使用できる結束バンドの提供を目的とする。
【発明を実施するための最良の形態】
【００１５】  以下、本発明の実施の形態を図面に基づき詳細に説明する。【００１６】  ［第１実施形態］
図１は、本発明の第１実施形態におけるバンド本体２とバンド保持部３が連結され、一体となった状態の結束バンド１を示す図で（ａ）は、その平面図であり、（ｂ）は、その側断面図である。図２は、バンド本体２を示す図で（ａ）は、その平面図であり、（ｂ）は、その側断面図である。図３は、バンド保持部３の上段部８を示す側断面図である。図４は、バンド保持部３の下段部１３を示す側断面図である。図５は、バンド保持部３の上段部８と下段部１３の嵌め合う過程と、バンド本体２がバンド保持部３の下段部１３の連結部１０に連結される過程を示す説明斜視図である。図６は、バンド本体２が連結された状態のバンド保持部３の上段部８と下段部１３とが嵌め合い一体と成ったバンド保持部３を示す図１（ａ）のＡーＡ線に沿える側断面図である。図７は、バンド保持部３の挿通溝４にバンド本体２が、挿通してゆく過程を示す側断面説明図である。図８は、バンド保持部３の挿通溝４にバンド本体２が、挿通係止された状態を示す側断面説明図である。図９は、バンド保持部３に連結されたバンド本体２の可動域を示す側断面説明図である。図１０は、バンド保持部３にバンド本体２が外側より挿入でき且つ、バンド保持部３が一体成形された状態の一例を示す斜視図である。図１１は、保持体２５を示す斜視図である。図１２は、保持体２５にバンド本体２が挿通され、一環状状態を分割した状態の一例を示す説明斜視図である。図１３は、バンド本体２とバンド保持部３が一体成形された状態を示す斜視図である。【００１７】  バンド本体２は、図２（ａ）（ｂ）に示すように帯状をなし、一方の面に長手方向に沿って等間隔に複数設けられた凹状の係止部１６を持ち、その帯状の一端は部分的に棒状部１８を成し、さらにその一端に連結片１９が設けられており、バンド本体２の両側面には等間隔に複数の凹状のカット部１７が設けられている。【００１８】  バンド保持部３は、図３及び図４に示すように上下二段、三層構造に形成されており、上段部８は、上部層１４と中央層２０から成り、その間に挿通溝４と開口部９が形成されている。又、中央層２０から下方に突き出た鉤形状の固定片２１が複数設けられている。【００１９】  又、中央層２０の挿通溝４の床部１２には、上下に可動が可能な係止爪６を有しており、係止爪６の最低部側一辺を残し、周辺三辺の床部１２がコの字状に貫通した状態の切り込み部３２が設けられている。これにより、係止爪６の上下の可動が可能となる。ただし、係止爪６の上下の可動方法、形状はこれに限定するものではなく、上記の目的を達成できるのであれば、他の方法、形状でも良い。【００２０】  又、下段部１３は、器状の下部層２２から成り、上段部８の中央層２０に設けられている固定片２１と噛み合うようにして固定できる固定部２３とバンド本体２の連結片１９を連結できる連結部１０を有しており、下部層２２の底部１５には、バンド本体２の前後の可動を可能にする可動域部１１が設けられている。【００２１】  したがって、バンド本体２の連結片１９をバンド保持部３の下段部１３の連結部１０に連結し、上段部８と下段部１３を嵌め込むことでバンド本体２とバンド保持部３が一体となり、バンド本体２の前後の可動を自在とした��束バンド１が形成される。【００２２】  又、バンド保持部３を上段部８と下段部１３の上下二段の構造に形成することで、金型を成形する際の複雑性を軽減でき、金型の成形が容易になり製造、生産性の効率化が計れる。ただし、前記バンド保持部３の形状は一例を示すものであり、上記の目的を達成できる形状であれば、これに限定するものではなく、他の形状、仕様でも良い。例えば、図１０で示す一例のように、バンド保持部３の左右にバンド本体２の連結片１９が外側より挿入可能な筒状の挿入孔２４が設けることで、バンド保持部３を一体成形することも可能である。【００２３】  又、本発明の結束バンド１には、保持体２５を装備することができる。保持体２５は、図１１に示すように上下二層構造に形成されており、上部２６は片側に開口部２７を設けた保持溝２８を有し、下部２９にはバンド本体２を挿通可能な筒状の挿通孔３０が設けられている。これにより、結束バンド１に保持体２５を装着し、環状にして結束された際、一環状状態を容易に分割及びその解除が可能になる。【００２４】  図１から図１１に示す例を以て、さらに本発明の結束バンド１の作用効果について詳しく説明する。【００２５】  本発明の結束バンド１は、図１から図９に示すようにバンド本体２とバンド保持部３が、各々独立した状態で形成されており、これらを連結させることで、一つの結束バンド１になるように工夫がなされている。これにより、バンド本体２とバンド保持部３の素材材料を変えることができる。例えば、バンド保持部３を剛性や耐久性のある金属系の材料にすることで、より強固な結束性を作り出すことが可能となり、又、バンド本体２のみを交換することで繰り返し使用することも可能である。【００２６】  又、本発明の結束バンド１は、バンド本体２とバンド保持部３を連結させる仕様にすることで、バンド本体２に可動性を持たせることが可能となり、図９で示すように前後に自在な可動域を持たせることができ、例えばフラットな物品などの結束にもバンド本体２とバンド保持部３が、その物品に追随するような状態で結束される為、従来の一体成形された結束バンドのように結束されたバンド部分が跳ね上がるようなこともなく、嵩張りのない整然とした状態での結束が可能となる。【００２７】  上記についてさらに詳しく説明すると、図３、図４及び図５に示すようにバンド本体２は、バンド保持部３の下段部１３内部の連結部１０に連結し、上段部８と下段部１３を嵌め込むことで連結される。又、図５に示すようにバンド本体２の一端に設けられた棒状部１８と連結片１９がＴ字型円柱形状に形成されていることで、バンド保持部３下段部１３内部の連結部１０に連結片１９が収納され、しっかりと連結される。ただし、前記形状は、一例を示すものであり、上記の目的を達成できる形状であれぱ、これに限定するものではなく、他の形状、仕様でも良い。【００２８】  又、バンド保持部３の連結部１０は、図４及び図５に示すようにバンド本体２の連結片１９を包み込むように連結し、その他のバンド部分はバンド保持部３の下段部１３の底部１５に設けられた可動域部１１より外側へ引き出される。これにより、バンド本体２はバンド保持部３にしっかりと連結され左右のブレを抑制し、又、図９で示すように可動域部１１により前後の自在な可動域を持たせることが可能となる。【００２９】  又、図３から図８に示すようにバンド保持部３の上段部８には挿通溝４と開口部９が設けられており、挿通溝４の床部１２には、上下に可動が可能な係止爪６を有している。挿通溝４の内部はバンド本体２と同様の幅及び厚さのスペースに形成されおり、挿通溝４の入り口部５よりバンド本体２を挿通し結束する際、挿通溝４の床部１２に設けられた係止爪６をバンド本体２の厚い部分では押し下げつつ挿通し、出口部７より引き出し、結束したい適宜の位置でバンド本体２の係止部１６に係止爪６を納め係止することで、しっかりと結束される。又、結束を解除する際は、開口部４側にバンド本体２を引き出すだけで容易に結束の解除が可能であり、又、この開口部４よりバンド本体２を挿入し結束することも可能となる。【００３０】  又、バンド保持部３の開口部９外側上部は逆テーパー状に形成されており、バンド本体２の挿入が容易に行え、結束の締め直しや、狭いスペースでの結束も容易に行える。【００３１】  上記のバンド保持部３は、成形が容易な合成樹脂などが望ましいが、前述したように強度や耐久性を考慮すれば金属系やその他の材料でも良い。又、図示例で示すバンド保持部３の形状は円状に形成されているが、形状はこれに限定するものではなく、方形状や多角形などでも良い。【００３２】  又、図１（ａ）、図２（ａ）に示すようにバンド本体２の一端の（連結片１９側）両側面には、バンド本体２の幅より大きめの環状のバネ効果を持つバネ部３１が設けられており、バンド本体２の幅よりやや大きな孔などに本発明の結束バンド１を挿通し結束する際、このバネ部３１が孔の左右を押圧するようにしてその位置に結束バンド１が留まるよう工夫が為されている。特に下側（底側）より結束バンド１を挿通した場合において、結束バンド１を手で支えなくとも結束バンド１が落下することなく、その位置に留まるため、手を離しても結束バンド１が抜け落ちないようにし、利便性を高めている。【００３３】  又、図１及び図２に示すようにバンド本体２の両側面には、等間隔に複数の凹状のカット部１７が設けられている。物品などに結束バンド１を結束後のバンド本体２の残余部分を、この凹状のカット部１７で鋏などでカットすることが可能で、これにより従来の結束バンドのようにカットした部分の切り口の角が鋭角になることなく、カットした部分の切り口が滑らかになり、切り口で指や手を傷つけるようなことが軽減され安全である。【００３４】  上記、バンド本体２の成形材料としては、成形が容易な合成樹脂などが望ましいが、、上記の目的を達成できる材料であれば、これに限定するものではなく、他の材料でも構わない。【００３５】  次に、本発明の結束バンド１に装備することができる保持体２５について説明する。図１１に示すように保持体２５は、上下二層構造に形成されており、上部２６は片側に開口部２７を設けた保持溝２８を有し、下部２９にはバンド本体２を挿通可能な筒状の挿通孔３０が設けられている。バンド本体２を保持体２５の挿通孔３０に挿通し、適宜の位置で結束バンド１に保持体２５に装備し、環状にして結束された際、図１���に示すように、上部２６の開口部２７よりバンド本体２を保持溝２８に差し込むことで一環状状態を容易に分割でき、又、上部２６の保持溝２８に差し込まれたバンド本体２を開口部２７より引き出すことで解除も容易に可能となる。【００３６】  又、本発明の保持体２５は図１１及び図１２に示すように方形楕円状に形成されているが、形状はこれに限定するものではなく、円状や多角形などでも良い。又、保持体２５の成形材料としては、成形が容易な合成樹脂などが望ましいが、上記の目的を達成できる材料であれば、これに限定するものではなく、他の材料でも構わない。【００３７】  又、本発明の結束バンド１は前述したように、バンド本体２とバンド保持部３が各々独立した状態で形成されており、これらを連結させることで、一つの結束バンド１になることから、バンド本体２に可動性を持たせることが可能となり、よって図１（ｂ）に示すようにバンド本体２とバンド保持部３を一線状にすることも可能であり、これにより結束バンド１自体を複数繋げて（連結させて）使用することができる。したがって結束バンド１一本では結束できなかった物品等も、これにより結束が可能となる。【００３８】  又、バンド本体２とバンド保持部３は前述したようなことから、別々に形成することが望ましいが、製造コスト等を考慮すれば、図１３に示すように一体成形することも可能である。【００３９】  以上、述べたように本発明における結束バンドでは、バンドを結束した状態からでもバンド保持部の開口部からバンド本体を横側に引き抜くだけで容易に結束を解除することができ、繰り返し使用することができる。又、フラットな形状の物品等に結束しても、従来の結束バンドのように結束後のバンド残余部分が跳ね上がるようなことがなく、嵩張りのない状態で物品等に追随するように整然と結束される。又、本発明の結束バンドはバンド本体に可動性を持たせたことで、結束バンドを複数連結させて使用することも可能なことから、従来の結束バンドのように限られた利用範囲ではなく、様々なものを結束でき利用範囲がより広がる。又、バンド本体を鋏等でカットする場合においてもバンド本体のカット部でカットすることで、その切り口が鋭角になることなく滑らかになる為、切り口で指先や手を傷つけるようなことが軽減される。さらには、バンド本体とバンド保持部を自在に交換することも可能である。【００４０】  以上、本発明の実施形態を説明したが、本発明は、上記実施形態に限定されるものではなく、本発明の範囲は特許請求の範囲によって記され、特許請求の範囲と均等の意味及び範囲内において種々の変更が可能である。
【図面の簡単な説明】
【００４１】
【図１】  本発明の第１実施形態におけるバンド本体２とバンド保持部３が連結され、一体となった状態の結束バンド１を示す図で（ａ）は、その平面図であり、（ｂ）は、その側断面図である。
【図２】  バンド本体２を示す図で（ａ）は、その平面図であり、（ｂ）は、その側断面図である。
【図３】  バンド保持部３の上段部８を示す図１（ａ）のＡーＡ線に沿える側断面図である。
【図４】  バンド保持部３の下段部１３を示す図１（ａ）のＡーＡ線に沿える側断図面である。
【図５】  バンド保持部３の上段部８と下段部１３の嵌め合う過程と、バンド本体２がバンド保持部３の下段部１３の連結部１０に連結される過程を示す説明斜視図である。
【図６】  バンド本体２が連結された状態のバンド保持部３の上段部８と下段部１３とが嵌め合い一体と成ったバンド保持部３を示す図１（ａ）のＡーＡ線に沿える側断面図である。
【図７】  バンド保持部３の挿通溝４にバンド本体２が、挿通してゆく過程を示す図１（ａ）のＡーＡ線に沿える側断面説明図である。
【図８】  バンド保持部３の挿通溝４にバンド本体２が、挿通係止された状態を示す図１（ａ）のＡーＡ線に沿える側断面説明図である。
【図９】  バンド保持部３に連結されたバンド本体２の可動域を示す図１（ａ）のＡーＡ線に沿える側断面説明図である。
【図１０】  バンド保持部３にバンド本体２が外側より挿入でき且つ、バンド保持部３が一体成形された状態の一例を示す斜視図である。
【図１１】  保持体２５を示す斜視図である。
【図１２】  保持体２５にバンド本体２が挿通され、一環状状態を分割した状態の一例を示す説明斜視図である。
【図１３】  バンド本体２とバンド保持部３が一体成形された状態を示す斜視図である。
【符号の説明】
【００４２】１          結束バンド                  １８        棒状部
２          バンド本体                  １９        連結片
３          バンド保持部                ２０        中央層
４          挿通溝                      ２１        固定片
５          入り口部                    ２２        下部層
６          係止爪                      ２３        固定部
７          出口部                      ２４        挿入孔
８          上段部                      ２５        保持体
９          開口部                      ２６        上部
１０        連結部                      ２７        開口部
１１        可動域部                    ２８        保持溝
１２        床部                        ２９        下部
１３        下段部                      ３０        挿通孔
１４        上部層                      ３１        バネ部
１５        底部                        ３２        切り込み部
１６        係止部
１７        カット部
【図１】
2015003763.tif 000003
【図２】
2015003763.tif 000004
【図３】
2015003763.tif 000005
【図４】
2015003763.tif 000006
【図５】
2015003763.tif 000007
【図６】
2015003763.tif 000008
【図７】
2015003763.tif 000009
【図８】
2015003763.tif 000010
【図９】
2015003763.tif 000011
【図１０】
2015003763.tif 000012
【図１１】
2015003763.tif 000013
【図１２】
2015003763.tif 000014
【図１３】
2015003763.tif 000015